(57)【要約】本発明はデータ伝送装置（ＢＳ）に関する。このデータ伝送装置（ＢＳ）では、有効情報（ＮＩ）の第１の入力／出力ユニット（ＨＳ）への伝送、並びにこの有効情報（ＮＩ）に属する制御情報（ＳＩ）の、データ伝送装置（ＢＳ）及び第１の入力／出力ユニット（ＨＳ）に関連する別個の第２の入力／出力ユニット（ＰＤＡ）への伝送が行われる。
2004536497.tif 000002
【特許請求の範囲】
【請求項１】
データ伝送装置において、
−有効情報（ＮＩ）の第１の入力／出力ユニット（ＨＳ）への伝送、及び、
−前記有効情報（ＮＩ）に属する制御情報（ＳＩ）の、前記データ伝送装置（ＢＳ）及び前記第１の入力／出力ユニット（ＨＳ）とは別個の第２の入力／出力ユニット（ＰＤＡ）への伝送、
を行うことを特徴とする、データ伝送装置。
【請求項２】
前記有効情報（ＮＩ）及び／又は前記制御情報（ＳＩ）の伝送を無線により行う、請求項１記載の装置。
【請求項３】
前記有効情報（ＮＩ）及び／又は前記制御情報（ＳＩ）の無線による伝送を、公知のブルートゥース規格を用いて行う、請求項２記載の装置。
【請求項４】
前記第１の入力／出力ユニット（ＨＳ）はヘッドセットとして構成されている、請求項１から３までのいずれか１項記載の装置。
【請求項５】
前記第１の入力／出力ユニット（ＨＳ）は、グラフィック内容をプレゼンテーションする出力装置を包含する、請求項１から４までのいずれか１項記載の装置。
【請求項６】
前記第２の入力／出力ユニット（ＰＤＡ）には情報の入力及び／又は出力するために、
−光学的な手段及び／又は
−音響的な手段及び／又は
−触覚的な手段
が設けられている、請求項１から５までのいずれか１項記載の装置。
【請求項７】
前記第２の入力／出力ユニット（ＰＤＡ）には接触感応型の画面が設けられている、請求項１から６までのいずれか１項記載の装置。
【請求項８】
前記第２の入力／出力ユニット（ＰＤＡ）は、携帯情報端末として構成されている、請求項１から７までのいずれか１項記載の装置。
【請求項９】
データ伝送装置（ＢＳ）は遠隔通信システム（ＰＢＸ）と接続されている、請求項１から８までのいずれか１項記載の装置。
【請求項１０】
データ伝送装置（ＢＳ）は複数の第１の入力／出力ユニット（ＨＳ）ないし複数の第２の入力／出力ユニット（ＰＤＡ）と接続されている、請求項１から９までのいずれか１項記載の装置。
【発明の詳細な説明】
【技術分野】
【０００１】
本発明は、有効情報及び制御情報を入力／出力ユニットに伝送するためのデータ伝送装置に関する。
【０００２】
例えば遠隔通信コネクションを介して、ますます高くなるデータ伝送率でもって交換される情報の交換が頻繁になるにつれ、これらの情報のプレゼンテーションに対する新たな要求が生じている。
【０００３】
現行のこのプレゼンテーションは、例えば音響的な信号、ビデオシーケンスなどが挙げられる多数の異なる表示形態に基づき、また専門家の間では頻繁に「マルチメディア」プレゼンテーションと称される形態で行われる。
【０００４】
同様に進歩している電子構成素子の小型化は常に、情報を交換するための携帯装置のより小さい構造を可能にする。しかしながらそのような装置の多くにおいては、寸法が小さくなるということは一方で常時の携帯に関しては利点となるが、他方では操作の快適性を制限するということが明らかになる。
【０００５】
例えば今日の移動通信端末機器は、寸法が縮小されるに伴い入力素子及び出力素子の小型化も必然的なものとなるので、例えば目的の電話番号のダイヤルのような情報の入力がそのような機器の多くの利用者にとって困難であるほどに小さい立体的な寸法で製造される。
【０００６】
情報を交換するための携帯装置の別の例は移動計算ユニット、いわゆるＰＤＡ（Personal Digital Assistant；携帯情報端末）であり、この移動計算ユニットは、ＰＤＡの表面の全体を殆ど占有する接触感応型の画面を用いて、情報を人間工学的に入力ないし出力することができる。
【０００７】
携帯機器における計算能力が高まったことにより、過去において一方ではネットワーク化された計算機器、他方では遠隔通信装置に留まっていた機能が統合される。例えば移動遠隔通信端末機器はその機能において、今日では遠隔通信にのみ制限されているのではなく、高い計算能力を備えた小型化された計算装置も包含し、この高い計算能力でもって例えばインターネットを介して世界的規模で使用されるデータバンクにアクセスすることができるか、スケジュール管理を実現する。
【０００８】
その結果移動通信端末機器の利用者及び製造者は、移動通信端末機器の寸法に対する機能の範囲、それに伴いこれに必要とされる個数及び大きさの操作素子を十分に考慮する必要がある。
【０００９】
本発明の課題は、情報の人間工学的な入力及び出力を可能にする装置を提供することである。
【００１０】
この課題は請求項１記載の特徴により解決される。
【００１１】
本発明によれば、データ伝送装置を介して、第１の出力／入力ユニットへの有効情報の伝送及び別個の第２の出力／入力ユニットへの制御情報の伝送が行われる。
【００１２】
マルチメディアプレゼンテーションに関する遠隔通信の発展を考慮すれば、通話機能が使用される際には側頭部に位置し、したがってグラフィック情報を同時に受け取ることは許されない移動通信端末機器において、例えばサービスフィーチャに関する情報のような、グラフィック情報をプレゼンテーションすることはますます不便になる。
【００１３】
本発明による方法の別の利点は、２つの別個の入力／出力ユニットによる有効情報及び制御情報の個別処理でもって、情報を人間工学的にプレゼンテーションすることが可能になるということである。
【００１４】
本発明の有利な実施形態は従属請求項に記載されている。
【００１５】
有利には、現在の携帯端末機器のインタフェースとの互換性を達成するために、情報がブルートゥース規格を基礎として無線により伝送される。それ自体は公知のブルートゥース規格によって、移動計算システム（「ノートブック」）、スケジュール管理システム（「オーガナイザ」）、ＰＤＡ、移動通信端末機器などのような端末機器間の短距離通信が標準化される。
【００１６】
さらに有利には第１の入力／出力ユニットは、非常に小さい構造で実現されており且つユーザの耳に固定されることによりハンドフリー音声通信を可能にする、ヘッドセットとして構成されている。
【００１７】
第２の入力／出力ユニットは、人間工学的に有利には、例えばＰＤＡまたは他のいわゆる「ハンドヘルド」システムにおいて実現される接触感応型の画面を装備している。
【００１８】
有利には、マルチメディアプレゼンテーションの意味において情報を与え且つ簡単な操作を実現するために、情報の入力及び出力は音響的及び／又は光学的な手段によって行われる。
【００１９】
有利には、盲目のユーザが本発明による装置を操作できるようにするために、情報の入力及び出力は触覚的な手段によって行われる。
【００２０】
本発明の実施例を以下において図面に基づき詳細に説明する。ここで図１は分散型の通信システムを概略的に示すための構造図である。
【００２１】
図１は分散型の通信システムＫＳを示し、この通信システムＫＳではデータ伝送装置ＢＳと通信機器ＰＢＸとがパケット交換ネットワークＬＡＮを介して接続されている。現在の通信システムでは、連続的なデータストリームを伝送するためのコネクション、例えば音声通信またはビデオ通信のためのコネクションは、パケット交換通信網、例えばＬＡＮ（Local Area Network）、ＭＡＮ（Metropolitan Area Network）またはＷＡＮ（Wide Area Network）などを介してもますます案内されている。例えば、このような技術を基礎とするものは、頻繁に「Voice over IP」（略してＶｏＩＰ）とも称されるいわゆるインターネット電話である。
【００２２】
移動計算ユニットＰＤＡもヘッドセット（Hoer-/Sprechkombination）ＨＳもそれ自体公知のブルートゥース規格を基礎としてデータ伝送装置ＢＳと通信を行う。このために、データ伝送装置ＢＳには２つのブルートゥースインタフェースＳ１、Ｓ２が設けられている。
【００２３】
本発明によれば、ブルートゥース規格を基礎とする伝送の代わりに、ＤＥＣＴ規格による伝送、またはＧＳＭ規格による伝送も行うことができる。
【００２４】
データ伝送ユニットＢＳとヘッドセットＨＳとの間で交換されるデータ（図１には同心円の弧として示されている）は、専門家の間では「メディアストリーム（Media Stream）」とも称される有効情報ＮＩを包含し、移動計算ユニットＰＤＡと交換されるデータ（図１には同様に同心円の弧として示されている）は、専門家の間では「シグナリング（Signalling）」と称される制御情報ＳＩを包含する。ここで制御情報ＳＩは有効情報に属し、また構成要素、移動計算ユニットＰＤＡ及びヘッドセットＨＳは、その機能を組み合わせることにより、機能的に１つの通信端末機器とみなすことができる。
【００２５】
移動計算ユニットＰＤＡは実施例においては携帯情報端末（Personal Digital Assistant）であり、この携帯情報端末はユーザインタフェースにおいて情報に関与する制御情報ＳＩを表示及び入力することができる。この制御情報ＳＩは例えば通信機器ＰＢＸによるサービスフィーチャの制御に使用される。
【００２６】
通信機器ＰＢＸ並びにデータ伝送装置ＢＳはそれぞれＬＡＮ接続ユニットＬＡを有し、このＬＡＮ接続ユニットＬＡはパケット伝送ネットワークＬＡＮを介する制御データ及び有効データの伝送に使用される。
【００２７】
通信機器ＰＢＸの別の構成要素はプロトコル処理ユニットＰＶであり、このプロトコル処理ユニットＰＶはそれ自体公知のＨ．３２３プロトコルＳＧに応じて、コールされる宛先番号をパケット交換網において有効なＩＰアドレスに割り当てる。Ｈ．３２３プロトコルはこの割当情報及び別のシグナリング情報の他に、パケット指向の形式でパケット指向ネットワークＬＡＮを介して伝送される本来の有効データも包含する。
【００２８】
Ｈ．３２３プロトコルの他に、通信システムＫＳ内部では拡張されたシグナリングプロトコルＥＳＧが使用され、このシグナリングプロトコルＥＳＧは通信システムＫＳの内部加入者に対してサービスフィーチャの拡張された実現、例えばコールした加入者の氏名をコールされた通信端末機器に表示することを可能にする。この拡張されたシグナリングプロトコルＥＳＧは、同様にプロトコル処理ユニットＰＶによって生成ないし処理される。
【００２９】
データ伝送ユニットＢＳの接続ユニットＬＡは到来するデータパケット（図示せず）をその指定された宛先について検査する。指定された宛先がデータ伝送ユニットＢＳである到来するデータパケットは、接続ユニットＬＡを介して２つの処理ユニットＶＥ１、ＶＥ２に転送される。これらの処理ユニットＶＥ１、ＶＥ２の図面に示されたそれぞれの構成要素はソフトウェア構成要素であってよい。２つの処理ユニットＶＥ１、ＶＥ２は２つのブルートゥースインタフェースＳ１、Ｓ２と接続されている。明瞭にするために、データフローは実施例においては接続ユニットＬＡからブルートゥースインタフェースＳ１、Ｓ２への方向においてのみ説明する。シグナリング情報ＳＩないし有効情報ＮＩの図面の表示における双方向の矢印が示唆しているように、他方の方向においては双方向通信の意味で同様にデータフローが存在する。
【００３０】
第１の処理ユニットＶＥ１では、第１のプロトコル処理ユニットＰＶ１に対して、所定のデータが第１のソケットＳＣ１を介してこのプロトコル処理ユニットＰＶ１に転送される。ソケットＳＣ１はソフトウェア構造であり、パケット交換ネットワークＬＡＮにおいては通信端点として動作し、また（実施例においては詳細に説明しない）識別番号が割り当てられた、後続のソフトウェア層（第１のプロトコル処理ユニットＰＶ１）のデータパケットによって表される。第１のプロトコル処理ユニットＰＶ１は、拡張されたシグナリングプロトコルＥＳＧのデータから取り出される情報を、データ伝送ユニットＢＳから送出される、ないしデータ処理ユニットＢＳに到来するコネクション要求及びサービスフィーチャを制御するために処理する。これらの情報は続いてブルートゥースプロトコルへ渡されて、第１のブルートゥースインタフェースＳ１を介する移動計算ユニットＰＤＡへのシグナリング情報ＳＩとして表される。拡張されたシグナリングプロトコルＥＳＧのデータの別の要素は、別のソフトウェア要素（スルーコネクトユニットＤＥ）の制御に使用される。この制御は図面においては破線の矢印でもって示されており、また第２の処理ユニットＶＥ２との関連において説明する。
【００３１】
移動計算ユニットＰＤＡにおいては、適切なソフトウェア（図示せず）は第１のブルートゥースインタフェースＳ１を介して受信するデータを、加入者がグラフィック面において例えばサービスフィーチャの操作、通話相手とのコネクションについての入力の可能性などを実現できるように処理する。
【００３２】
第２の処理ユニットＶＥ２においては、第２のプロトコル処理ユニットＰＶ２に対して、所定のデータが第２のソケットＳＣ２を介してこのプロトコル処理ユニットＰＶ２に転送される。必要に応じて第２のプロトコル処理ユニットは、伝送されたＨ．３２３プロトコルに存在するデータＳＧから、コネクションが存在する場合には、存在する有効情報を抽出し、この有効情報は以下のスルーコネクトユニットＤＥを用いて交換される。
【００３３】
スルーコネクトユニットＤＥは、遠隔通信コネクションを指示する第１のプロトコル処理ユニットＰＶ１によって制御される。通信機器ＰＢＸと接続されているコールする加入者が、移動計算ユニットＰＤＡ及びヘッドセットＨＳによって通信端末機器として表される、コールされる加入者とのコネクションを要求する際に、シグナリングが第１のプロトコル処理ユニットＰＶ１において処理され、スルーコネクト制御命令がスルーコネクトユニットＤＥに伝送される。スルーコネクトユニットはこの制御命令に基づき、シグナリングデータによって、パケット交換ネットワークＬＡＮを介する通信機器ＰＢＸへの再帰的な接続要求を指示し、この指示に基づきコネクションが確立される。
【００３４】
第２のブルートゥースインタフェースＳ２を介して、有効情報が双方向に、同様にブルートゥースインタフェース（図示せず）が装備されているヘッドセットＨＳと交換される。移動計算ユニットＰＤＡをヘッドセットＨＳと組み合わせることにより１つの通信端末機器と見なすことができる。
【図面の簡単な説明】
【００３５】
【図１】分散型通信システムを概略的に表すための構造図である。
【国際公開パンフレット】
2004536497.tif 000003
2004536497.tif 000004
2004536497.tif 000005
2004536497.tif 000006
2004536497.tif 000007
2004536497.tif 000008
2004536497.tif 000009
2004536497.tif 000010
2004536497.tif 000011
2004536497.tif 000012
2004536497.tif 000013
2004536497.tif 000014
2004536497.tif 000015
【国際公開パンフレット（コレクトバージョン）】
2004536497.tif 000016
2004536497.tif 000017
【手続補正書】
【提出日】平成15年7月14日(2003.7.14)
【手続補正２】
【補正対象書類名】明細書
【補正対象項目名】０００１
【補正方法】変更
【補正の内容】
【０００１】
本発明は、有効情報及び制御情報を２つの別個の入力／出力ユニットに伝送する、データ伝送装置を包含する通信システムに関する。


【手続補正３】
【補正対象書類名】明細書
【補正対象項目名】０００７
【補正方法】変更
【補正の内容】
【０００７】
携帯機器における計算能力が高まったことにより、過去において一方ではネットワーク化された計算機器、他方では遠隔通信装置に留まっていた機能が統合される。例えば移動遠隔通信端末機器はその機能において、今日では遠隔通信にのみ制限されているのではなく、高い計算能力を備えた小型化された計算装置も包含し、この高い計算能力でもって例えばインターネットを介して世界的規模で使用されるデータバンクにアクセスすることができるか、スケジュール管理を実現する。
刊行物ＷＯ  ９９  ４８３１２から、移動ユニットと移動遠隔通信網との間で情報を伝送するための装置が公知である。移動遠隔通信網を移動ユニットと接続する接続ユニットはエミュレーションユニットを包含し、このエミュレーションユニットは移動遠隔通信網の観点からそこで使用される通信プロトコル、殊にＧＳＭを用いる移動通信端末機器として動作する。ＧＳＭ規格による移動通信ネットワークに関して、エミュレーションユニットは例えばセルラ移動電話の役割を担う。移動ユニットに対応するインタフェースにおいては、エミュレーションユニットは択一的に無線の通信プロトコル、殊にブルートゥースを基礎として動作する。したがって移動ユニットの加入者は、移動通信ネットワークにおいて連絡可能な第２の加入者との通信コネクションを維持することができ、使用される移動ユニットが通信ネットワークにおいて使用される通信プロトコル、殊にＧＳＭを使用する必要は無い。エミュレーションユニットを用いることにより、加入者はブルートゥースインタフェースが装備されている移動ユニットを介してもＧＳＭ通信ネットワークにアクセスすることができる。さらにこの刊行物には、「オーディオヘッドセット（Audio Headset）」と接続されている腕時計型のユーザインタフェースとしての移動ユニットの構成が記載されている。


【手続補正４】
【補正対象書類名】特許請求の範囲
【補正対象項目名】全文
【補正方法】変更
【補正の内容】
【特許請求の範囲】
【請求項１】
通信システムにおいて、
通信に関連する有効情報（ＮＩ）及び該有効情報（ＮＩ）に属する制御情報（ＳＩ）を交換するための、通信機器（ＰＢＸ）と接続されたデータ伝送装置（ＢＳ）と、
前記有効情報（ＮＩ）を無線により前記データ伝送装置（ＢＳ）と交換するための第１の入力／出力ユニット（ＨＳ）と、
前記制御情報（ＳＩ）を無線により前記データ伝送装置（ＢＳ）と交換するための、前記データ伝送装置（ＢＳ）及び前記第１の入力／出力ユニット（ＨＳ）とは別個の第２の入力／出力ユニット（ＰＤＡ）と、
から構成されていることを特徴とする、通信システム。
【請求項２】
前記有効情報（ＮＩ）及び／又は前記制御情報（ＳＩ）の無線による伝送を、公知のブルートゥース規格を用いて行う、請求項１記載の装置。
【請求項３】
前記第１の入力／出力ユニット（ＨＳ）はヘッドセットとして構成されている、請求項１または２記載の装置。
【請求項４】
前記第１の入力／出力ユニット（ＨＳ）は、グラフィック内容をプレゼンテーションする出力装置を包含する、請求項１から３までのいずれか１項記載の装置。
【請求項５】
前記第２の入力／出力ユニット（ＰＤＡ）には情報の入力及び／又は出力するために、
−光学的な手段及び／又は
−音響的な手段及び／又は
−触覚的な手段
が設けられている、請求項１から４までのいずれか１項記載の装置。
【請求項６】
前記第２の入力／出力ユニット（ＰＤＡ）には接触感応型の画面が設けられている、請求項１から５までのいずれか１項記載の装置。
【請求項７】
前記第２の入力／出力ユニット（ＰＤＡ）は、携帯情報端末として構成されている、請求項１から６までのいずれか１項記載の装置。
【請求項８】
データ伝送装置（ＢＳ）は複数の第１の入力／出力ユニット（ＨＳ）ないし複数の第２の入力／出力ユニット（ＰＤＡ）と接続されている、請求項１から７までのいずれか１項記載の装置。
【請求項９】
請求項１から８までのいずれか１項記載の通信システム（ＫＳ）において使用されることを特徴とする、データ伝送装置（ＢＳ）。
【国際調査報告】
2004536497.tif 000018
2004536497.tif 000019
2004536497.tif 000020
2004536497.tif 000021